(57)【特許請求の範囲】
【請求項１】
ケース内に塗膜転写テープが配置された塗膜転写具であって、前記ケースの輪郭線は、前記塗膜転写テープの輪郭に沿って形成され、前記塗膜転写テープを前記ケースから露出して配置された転写ヘッドに巻回させると共に、その巻回部と平行であって、かつ、前記ケースの側面に、そのケースを把持した際、親指が当接する第１凹陥部を形成し、該第１凹陥部の前方部に、前記転写テープの輪郭線から外方に突出する尖ったつの部を形成する一方、その第１凹陥部とは反対側の側面に人差し指と親指の指間が当接し、前方部に、前記転写テープの輪郭線から外方に突出する尖ったつの部が形成された第２凹陥部と、中指あるいは薬指が当接する第３凹陥部を形成した塗膜転写具。
【請求項２】
前記転写ヘッドをケースに対して前後動可能に配置した請求項１記載の塗膜転写具。
【請求項３】
前記塗膜転写テープをケースに対して着脱自在に配置すると共に、そのケースを本体部と蓋部とから構成し、それら本体部と蓋部とを回転可能に連結することによって開閉自在となし、その蓋部の本体部に対する回転支持部を前記第２凹陥部が位置する側面に配置する一方、蓋部の本体部に対する係脱部を前記第１凹陥部が位置する側面に配置した請求項１、或いは、請求項２に記載の塗膜転写具。
【発明の詳細な説明】
【技術分野】
【０００１】
本発明は、ケース内に塗膜転写テープが配置された塗膜転写具に関するものである。
【背景技術】
【０００２】
従来から、基材テープに塗膜層を形成している転写テープが、繰出しリールから転写ヘッドを介して巻取りリールに巻回され、また、それら繰出しリールと巻取りリールの連動機構と伴にケース内に配設された自動巻取り式の塗膜転写具が知られている。
具体的に説明すると、基材テープに塗膜を備えた転写テープを繰り出す繰り出しコアと、前記塗膜を被転写面に押圧して転写する転写ヘッドと、転写後の基材テープを巻き取る巻き取りコアを有し、繰り出しコアと巻き取りコアとを連動回転させる伝達手段を備えた塗膜転写具が知られている。
【先行技術文献】
【特許文献】
【０００３】
【特許文献１】特開平２００４−１３６６０５号公報。
【発明の概要】
【発明が解決しようとする課題】
【０００４】
通常、転写テープの転写が終了した際には、転写ヘッドを被転写面から離脱させる。この離脱の際に、塗膜が切断される。この時、使用者は、その塗膜の切断面が一直線上に綺麗に切断されるように、転写ヘッドの先端を被転写面に強く押し付けて、次いで、その転写ヘッドを被転写面から離脱させている。つまり、転写ヘッドを被転写面に、一端、強く押し付けることによって、塗膜の端部を被転写面に対して強固に密着さると共に、押し付ける圧力によって塗膜を切断しているのである。
ところで、前記の押圧動作を行う際、塗膜転写具を被転写面に対して、約８０度ほど立ち上げ、押圧動作を行う。ちなみに、通常の塗膜の転写動作は、被転写面に対して約４５度〜６０度の範囲でなされる。力を掛けやすいように、前記の押圧動作の際には塗膜転写具を立ててしまうのである。
しかし、塗膜転写具を立てる動作と同時に被転写面に対する力を掛けるので、把持している手（指）の塗膜転写具に対する滑りが発生してしまい、その塗膜転写具が不安定な状態になり、塗膜の切断面がギザギザになってしまったり、浮いてしまったり、ややもすると、手から塗膜転写具が離脱してしまったりするなど、種々の問題が発生してしまう危険性がある。
【課題を解決するための手段】
【０００５】
本願発明は、ケース内に塗膜転写テープが配置された塗膜転写具であって、前記ケースの輪郭線は、前記塗膜転写テープの輪郭に沿って形成され、前記塗膜転写テープを前記ケースから露出して配置された転写ヘッドに巻回させると共に、その巻回部と平行であって、かつ、前記ケースの側面に、そのケースを把持した際、親指が当接する第１凹陥部を形成し、該第１凹陥部の前方部に、前記転写テープの輪郭線から外方に突出する尖ったつの部を形成する一方、その第１凹陥部とは反対側の側面に人差し指と親指の指間が当接し、前方部に、前記転写テープの輪郭線から外方に突出する尖ったつの部が形成された第２凹陥部と、中指あるいは薬指が当接する第３凹陥部を形成したことを要旨とする。
【発明の効果】
【０００６】
本発明は、ケース内に塗膜転写テープが配置された塗膜転写具であって、前記ケースの輪郭線は、前記塗膜転写テープの輪郭に沿って形成され、前記塗膜転写テープを前記ケースから露出して配置された転写ヘッドに巻回させると共に、その巻回部と平行であって、かつ、前記ケースの側面に、そのケースを把持した際、親指が当接する第１凹陥部を形成し、該第１凹陥部の前方部に、前記転写テープの輪郭線から外方に突出する尖ったつの部を形成する一方、その第１凹陥部とは反対側の側面に人差し指と親指の指間が当接し、前方部に、前記転写テープの輪郭線から外方に突出する尖ったつの部が形成された第２凹陥部と、中指あるいは薬指が当接する第３凹陥部を形成したので、転写ヘッドの被転写面に対する押圧動作を確実に得ることができ、その結果、綺麗な塗膜切断面が得られる。
【図面の簡単な説明】
【０００７】
【図１】本発明の１例を示す外観図。
【図２】図１の縦断面図。
【図３】蓋部を拡開させた外観図。
【図４】塗膜層を切断する状態を示す動作説明図。
【図５】不使用状態（転写ヘッド保護状態）を示す外観図。
【発明を実施するための形態】
【０００８】
本実施例においては、誤字などを隠ぺいして再筆記することが可能な修正テープを挙げ説明するが、紙どうしや他のものに接着するのに使用する接着テープ、印刷物や筆記物の特定部分を強調したり、印象付けたりする手段として用いられる蛍光テープ、柄や模様を転写できるマーク転写テープ、暗記したい文字上に転写し、専用シートを被せることで転写した文字を判読しにくくする暗記テープ等、押圧によって基材上の塗膜を被転写体に転写する塗膜転写具に対しても適用が可能である。
ケース１は、本体部２とその本体部２に開閉自在に取り付けられた蓋部３とから構成されている。また、ケース1内には、修正テープ４が配置されたカートリッジ５が着脱自在に配置されている。そのカートリッジ５の先端には、転写ヘッド６が取り付けられると共に、後部には前記修正テープ４が巻回された繰り出しリール７が回転自在に軸支されている。また、カートリッジ５の中間部には、その繰り出しリール７から繰り出された基材テープ４ａを巻き取る巻き取りリール８が軸支されている。そして、それら巻き取りリール８と繰り出しリール７は、従動歯車９によって連動しているが、巻き取りリール７の方が、若干、早く回転するようになっている。転写の際に、修正テープ４が弛まないようにしているのである。尚、前記修正テープ４は、繰り出しリール７から繰り出され、前記転写ヘッド６に巻回されて巻き取りリール８に巻き取られるが、修正用塗膜４ｂが被転写面に転写されるため、巻き取りリール８に巻き取られるのは基材テープ４ａのみである。
また、前記転写ヘッド６は、前記修正テープ４の巻回部６ａを有するヘラ部６ｂと、そのヘラ部６ｂの両側部に形成されたガイド部６ｃなどから構成されている。また、ヘラ部６ｂの後部には、そのヘラ部６ｂが被転写面に対して平行に密着するように揺動部６ｄが設けられている。
本実施例における転写ヘッド６は、青や緑と言った有彩色の樹脂材質で成形されているが、これに限定されることはなく、白色や透明な樹脂材質で成形しても良い。透明な樹脂材質とすることによって、修正用塗膜４ｂが直線的に繰り出されているかを確認することができ、文字を正確に隠ぺいすることができる。また、転写ヘッド６を青や緑と言った有彩色の樹脂材質で成形した場合には、被転写面がほとんど白色であるため、転写ヘッド６の先端をはっきりと目視することができるようになる。よれにより、目的の位置で正確に転写ヘッド６を停止させることができる。
【０００９】
前記カートリッジ５の後方であって、蓋部３の内部には弾発機構１０が配置されている。この弾発機構１０は、コイルスプリング１１を有していると共に、そのコイルスプリング１１が一定距離圧縮されると音が発するようになっている。つまり、転写ヘッド６を被転写面に強く押し当てると、カートリッジ５が前記コイルスプリング１１の弾発力に抗してケース１内で後退すると共に、転写ヘッド６が没入する。この転写ヘッド６の没入過程において音が発する。この転写ヘッド６の没入によって塗膜４ｂが紙面に対して確実に押圧・密着されると共に、当該部分が圧縮され弱部となり、また、音の発生によってその押圧の完了動作を確認することができる。そして、転写ヘッド６を紙面より離脱させることにより塗膜４ｂを切断する。尚、前述したように、転写ヘッド６がケース１内に没入するが、完全に没入することはなく、多少露出した状態でカートリッジ５の後退動作に規制がかかるようになっている。
また、前記コイルスプリング１１の前方には、そのコイルスプリング１１によって前方に向けて付勢された押圧部材１２が配置されており、その押圧部材１２が前記カートリッジ５の後端部に当接している。
前記蓋体３は、本体部２に対して開閉自在に取り付けられ、連結されているが、その連結機構１３としては、互いの部材に孔を形成しそれらの孔にピンを貫通させる、所謂、蝶つがいのようなものであっても良く、或いは、本体部２と蓋体３とを一体形成し、それらの連結部を屈折可能な、所謂、ヒンジ機構などとしても良い。一方、本体部２と蓋部３の連結部とは反対側の側面には、蓋部３の本体部２に対する拡開動作を規制する係合機構１４が設けられているが、その係合機構としては蓋部３に弾性変形が可能な爪部を形成し、その爪部を本体部２に対して係脱可能に係合させても良いし、或いは、マグネットや面ファスナーなどによって蓋部３を本体部２に対して密着させても良い。
【００１０】
本実施例の修正テープ４は、基材テープ４ａの片面に離型層が形成され、反対面に離型層と修正用塗膜４ｂが形成されている。その修正用塗膜４ｂは、隠ぺい層と接着層から構成されている。
前記離型層は、離型層コーティング液を用いて、グラビアコーターなどによって形成されている。その離型層コーティング液は、シリコン樹脂やフッ素樹脂、その他離型性を有する樹脂から選択でき、これに必要に応じて、添加剤などを混合して作製することによって透明な離型層を形成している。尚、この離型層４の厚さは約０．５〜１μｍが好ましい。
また、前記基材テープ４ｂとしては、厚さが３〜２５μｍの透明なポリエチレンテレフタレ−トフィルムを用いている。転写する塗膜の性質によっては、ポリエチレンナフタートやポリプロピレンなどのプラスチックフィルムを適宜用いても良い。
さらに、前記隠ぺい層は、隠蔽層コーティング液を用いて、ロールコーターなどによって形成されている。その隠蔽層コーティング液は、白色顔料や充填剤、各種ビヒクルなどからなり、これに必要に応じて、分散剤や添加剤などを混合して作製している。尚、この隠ぺい層の厚さは約１５〜２５μｍが好ましい。
そして、前記接着層は、いわゆる粘着剤を用いて、ロールコーターなどによって形成されている。その粘着剤は、アクリル系やロジン系、ゴム系、ビニルエーテル系樹脂、ポリイソブチレン系などから選択でき、これに必要に応じて、充填剤、調整剤などを混合して作製している。尚、この接着層の厚さは約１〜４μｍが好ましい。
【００１１】
次に、前記ケース１の外観形状について説明する。前記転写ヘッド６の巻回部６ａ、並びに、ヘラ部６ｂと平行な位置であって、かつ、前記ケース１の側面には、そのケース１を把持した際、親指が当接する第１凹陥部１５が形成されている。その第１凹陥部１５は、緩やかな円弧状の凹部となっており、前方部には尖ったつの部１５ａが形成されている。
一方、その第１凹陥部１５とは反対側の側面には、人差し指と親指の指間が当接する第２凹陥部１６が形成されている。その第２凹陥部１６は、前記第１凹陥部１５と同様に緩やかな円弧状の凹部となっており、前方部には尖ったつの部１６ａが形成されている。また、その第２凹陥部１６の中間部分には、本体部２と蓋部３との連結部１３が位置している。即ち、転写する際、人差し指と親指の指間からケース１を把持しようとする力が発せしうるが、その指間からの力は第２凹陥部１６を介して本体部２と蓋部３に分散された状態で係ることになる。ここで、本体部２と蓋部３との連結部１４がこの第２凹陥部１６に位置しているため、前記の力によって蓋部３が本体部２に対して拡開してしまうようなことがない。ちなみに、この第２凹陥部１６に本体部２と蓋部３との係合機構１４を設けた場合には、蓋部１４にも前記の力が作用してしまうため、その力の強さ如何によっては、ややもすると、蓋部３が拡開してしまう危険性がある。
更に、前記第１凹陥部１５とは反対側の背面であって、第２凹陥部１６の前方部には、中指あるいは薬指が当接する第３凹陥部１７が形成されている。この第３凹陥部１７は、前記前記第１凹陥部１５と同様に緩やかな円弧状の凹部となっているが、第１凹陥部１５や第２凹陥部１７よりもさらに緩やかな凹部になっている。
尚、これら第１凹陥部１５や第２凹陥部１６、第３凹陥部１７の表面には、シリコーンゴムや天然ゴムなどからなるゴム状弾性体の滑り止め部材を取り付けても良いし、或いは、２色成形などの手段によって一体成形するなどしても良い。また、ケース１を成形する際、当該部分にローレットや微細な凹凸（梨地状）を同時に形成するなどしても良い。それぞれの凹部によってケース１に対する指の滑りが防止されることは勿論、前記の滑り止め手段を施すことによって更に、滑りが防止され、塗膜の転写ミスが防止されると共に、軽い把持力でケース１の押圧動作を行うことができるようになる。
【００１２】
次に、動作について説明する。隠ぺいしたい文字（被転写面）が発生してしまった場合には、その文字の上面に修正テープ４の修正用塗膜４ｂを転写するために、ケース１を手で把持するが、この際、親指を第１凹陥部１５に当接させると共に、人差し指と親指の指間を第２凹陥部１６に、そして、中指あるいは薬指を第３凹陥部１７に当接させる。次いで、使用するユーザーにもよるが、被転写面に対して約４５度程度ケース１を傾け、転写ヘッド６を被転写面に対して押し付ける。この押し付けた状態を保ちながら、隠ぺいしたい文字を消去する。この際、ケース１を把持している各指が、各凹陥部に入り込み、ケース１を確実に保持しているため、振れなどが発生することなく、修正用塗膜４ｂを隠ぺいしたい文字の上面に正確に転写させることができる。隠ぺい完了後、修正用塗膜４ｂの端面を綺麗に一直線上に切断するために、転写ヘッド６を更に強く被転写面に対して押し付ける。この更なる押圧動作によって転写ヘッド６の巻回部６ｂを介して修正用塗膜４ｂに強固な押圧力が付与され、当該部分が切断される。また、この際、転写ヘッド６に対して前記の押圧力を強く付与するために、ケース１をほぼ８０度近辺まで立て、鉛直方向に押圧力を掛ける。この時も、ケース１を把持している各指が、各凹陥部に入り込み、ケース１を確実に保持しているため、振れなどが発生することなく、また、各凹陥部の位置関係により、各指が各凹陥部に入り込むとケース1は６０〜８０度の角度へとやや立った角度となるので、確実に押圧力を転写ヘッド６、並びに、修正用塗膜４ｂに対して付与することができる。その結果、修正用塗膜４ｂの端部が一直線上に綺麗に切断することができる。
また、本実施例においては、転写ヘッド６を被転写面に強く押し付けた際、カートリッジ５が弾発機構１０のコイルスプリングの弾発力に抗して後退し得るようになっている。このため、前記転写ヘッド６もケース１内に没入し得るようになっている。そして、この転写ヘッド６の没入過程で、音が発生し、修正用塗膜４ｂの押圧動作を確認することができる。この音の発生手段としては、電気的なものであっても良いが、前記押圧部材１２に弾性変形が可能な爪部を形成し、その爪部が弾発機構の段部を乗り越える際、音が発生するようにしても良い。
さらに、本実施例においては、第３凹陥部１７は本体部２に対して前後動可能に配置されたスライド部材１８に形成されているが、直接、第３凹陥部１７を本体部２に形成しても良い。即ち、本実施例において、使用状態においては、図１に示すように第３凹陥部１７が形成されたスライド部材１８を後退・係止させることによって、薬指が当接し得るものとなっているが、不使用時においては、図５に示すようにスライド部材１８を前進させることによって、転写ヘッド６を覆い、保護し得るようになっている。
【符号の説明】
【００１３】
１      ケース
２      本体部
３      蓋部
４      修正テープ
５      カートリッジ
６      転写ヘッド
７      繰り出しリール
８      巻き取りリール
９      従動歯車
１０      弾発機構
１１      コイルスプリング
１２      押圧部材
１３      連結機構
１４      係合機構
１５      第１凹陥部
１６      第２凹陥部
１７      第３凹陥部
１８      スライド部材
【図１】
0005652287.tif 000002
【図２】
0005652287.tif 000003
【図３】
0005652287.tif 000004
【図４】
0005652287.tif 000005
【図５】
0005652287.tif 000006